(57)【特許請求の範囲】
【請求項１】
ヒール側とトゥ側とに至る幅方向の中央位置にシャフト結合部を配置し、
前記シャフト結合部よりもトゥ側とヒール側とのそれぞれに、第１基準ボール打点と第２基準ボール打点とが設定されており、
前記第１基準ボール打点と前記第２基準ボール打点とは、それぞれ、ボールをパッティングする際に適切とされる基準打点であり、
前記シャフト結合部のシャフト軸に対して、前記トゥ側の上平面が、略９０°の角度で形成されるとともに、前記ヒール側の上平面が、略８０°以下から０°より大きいプレイヤーが所望する適宜の角度で形成されており、
前記シャフト結合部よりもトゥ側とヒール側とのそれぞれに２つのヘッド半部が、分割されて、形成されており、
前記２つのヘッド半部は、パターヘッドの上方側全体が、前記幅方向で、溝部によって分割されており、
前記第１基準ボール打点が、前記トゥ側のヘッド半部の前記幅方向の中央位置に設定されており、
前記第２基準ボール打点が、前記ヒール側のヘッド半部の前記幅方向の中央位置に設定されている
ことを特徴とするパターヘッド。
【請求項２】
前記幅方向で前記第１基準ボール打点又は前記第２基準ボール打点と重なる位置の前記上平面に目印を設けていることを特徴とする請求項１記載のパターヘッド。
【請求項３】
前記シャフト結合部よりも前記トゥ側又は前記ヒール側のそれぞれにおいて、前記幅方向で前記第１基準ボール打点を挟む２箇所の位置及び前記第２基準ボール打点を挟む２箇所の位置に、それぞれの軸方向がパッティング方向と平行な姿勢の芯棒を内部に設けたことを特徴とする請求項１又は２に記載のパターヘッド。
【請求項４】
パッティング方向の前方側端部で底面の近傍に、前記幅方向に向けて突出する略半円形状のラウンドガードが設けられていることを特徴とする請求項１乃至３のいずれか１項に記載のパターヘッド。
【請求項５】
請求項１乃至４のいずれか１項に記載のパターヘッドと、
前記シャフト結合部に結合したシャフトと、
を備えていることを特徴とするパタークラブ。
【発明の詳細な説明】
【技術分野】
【０００１】
開示の実施形態は、ゴルフのパッティングに使用するパターヘッド及びパタークラブに関する。
【背景技術】
【０００２】
例えば特許文献１には、ゴルフのパッティングに使用するゴルフ用パターにおいて、左右幅方向の中央位置にシャフトを連結した構成のパターヘッドが記載されている。
【先行技術文献】
【特許文献】
【０００３】
【特許文献１】特許第４９５１１６１号
【発明の概要】
【発明が解決しようとする課題】
【０００４】
ゴルフコースのグリーンには多少ながら傾斜や起伏が形成されている場合があり、さらに芝目やボールとカップの配置関係によってはそのような状況に応じてプレイヤーが異なる姿勢に切り替えてパッティングを行う。そのため、１本で異なる複数のパッティング姿勢に対応可能なパタークラブが要望されていた。しかしながら上記従来技術のパターヘッドは、その左右幅方向のおよそ中央位置にシャフトを連結しているとともにその前方のおよそ一点にボールの打点位置が設定されているため、プレイヤーは通常のパッティング姿勢に限定されてしまい利便性が低いものとなっていた。
【０００５】
本発明はこのような問題点に鑑みてなされたものであり、異なる複数のパッティング姿勢に対応可能なパターヘッドとパタークラブを提供することを目的とする。
【課題を解決するための手段】
【０００６】
上記課題を解決するため、本発明のパターヘッドによれば、幅方向の中央位置にシャフト結合部を配置し、それよりもトゥ側とヒール側の少なくとも一方側に基準ボール打点が設定されていることを特徴とする。
【０００７】
また、本発明のパタークラブによれば、上記パターヘッドと、前記シャフト結合部に結合したシャフトと、を備えていることを特徴とする。
【発明の効果】
【０００８】
本発明によれば、異なる複数のパッティング姿勢に対応可能となる。
【図面の簡単な説明】
【０００９】
【図１】本実施形態に係るパタークラブのうちのパターヘッド周辺における外観斜視図である。
【図２】図２（ａ）は図１中の矢視ＩＩａから見たパターヘッドのみの平面図であり、図２（ｂ）は図１中の矢視ＩＩｂから見たパターヘッドの正面図である。
【図３】図２（ｂ）中の矢視ＩＩＩ−ＩＩＩ断面で見たパターヘッドの平面断面図である。
【図４】図４（ａ）はパッティング方向に正対したパッティング姿勢を表す図であり、図４（ｂ）は対応してパッティングする場合のパタークラブの正面図を表す図である。
【図５】図５（ａ）は幅方向に正対したパッティング姿勢を表す図であり、図５（ｂ）は対応してパッティングする場合のパタークラブの正面図を表す図である。
【図６】図６（ａ）は、比較例としてラウンドガードを設けていない場合のパッティング時の側面図であり、図６（ｂ）はその平面図である。
【図７】図７（ａ）は、ラウンドガードを設けている場合のパッティング時の側面図であり、図７（ｂ）はその平面図である。
【図８】ヘッド内部の芯棒を２本１組で直線的に連結した構成で一体的に形成した場合の変形例を表す図である。
【図９】ヘッド内部の芯棒を２本１組で曲線的に連結した構成で一体的に形成した場合の変形例を表す図である。
【図１０】トゥ側ヘッド半部を使用しつつ、プレイヤーの両足の爪先を直角に開いてパタークラブに向けたパッティング姿勢を表す図である。
【図１１】トゥ側ヘッド半部を使用しつつ、プレイヤーの身体正面を幅方向に正対させたパッティング姿勢を表す図である。
【発明を実施するための形態】
【００１０】
以下、一実施の形態について図面を参照しつつ説明する。
【００１１】
＜パターヘッドの構成について＞
まず、図１〜図３を参照しつつ、本実施形態に係るパタークラブの構成について説明する。図１は、本実施形態の例に係るパタークラブ１のうちのパターヘッド２周辺における外観斜視図を示している。図２（ａ）は上記図１中の矢視ＩＩａから見たパターヘッド２のみの平面図、図２（ｂ）は上記図１中の矢視ＩＩｂから見たパターヘッド２の正面図を示している。図３は、図２（ｂ）中の矢視ＩＩＩ−ＩＩＩ断面で見たパターヘッド２の平面断面図を示している。なお、図２、図３に示すように、パターヘッド２をボール４に向けてスウィングする方向をパッティング方向といい、このパッティング方向に対して水平に直交する方向を幅方向という。また、本実施形態で図示する構成は全て右利きのプレイヤー用のものであり、左利き用の場合は右利き用に対して幅方向で対称な構成とすればよい（特に図示せず）。
【００１２】
これら図１〜図３において、パターヘッド２全体の概略的な形状がパッティング方向の寸法と幅方向の寸法がおよそ同じ略正方形であり、全体的にボール４の半径以上にある適宜の厚さ寸法を有している。そしてパッティング方向の前方側端部の近傍で幅方向の中央位置には、シャフト３を結合するシャフト結合部１１が設けられている。この例のパターヘッド２におけるシャフト結合部１１自体は上平面から穿孔された穴部であり、この穴部に嵌入したジョイント１２を介してシャフト３の下端部が結合される。またパターヘッド２の上平面には、そのシャフト結合部１１よりパッティング方向の後方側全体に溝部１３が形成されており、この溝部１３によってパターヘッド２の上方側全体が幅方向で２つのヘッド半部２１，２２に分割されている。そしてそれぞれのヘッド半部２１，２２の後方側端部は、適宜の曲率半径で略半円形形状に形成されている。
【００１３】
上述したように、図示する例のパターヘッド２は右利き用のものを示しており、この場合には図２、図３の各図中における幅方向の左側へ向かう方向が、通常のパッティング姿勢（後述の図５（ａ）参照）にあるプレイヤーＭの足の爪先が向かう方向に対応するトゥ側となり、幅方向の右側へ向かう方向がプレイヤーＭの足の踵が向かう方向に対応するヒール側となる。そして図示する本実施形態の例では、トゥ側のヘッド半部２１においてそれ自体の幅方向中央位置に第１基準ボール打点Ｐ１の位置を設定し、ヒール側のヘッド半部２２においてそれ自体の幅方向中央位置に第２基準ボール打点Ｐ２の位置を設定している。これら基準ボール打点Ｐ１，Ｐ２は、それぞれ当該パターヘッド２でボール４をパッティングする際に適切とされる基準打点である。図示する例では、トゥ側ヘッド半部２１の上平面２１ａだけに、その第１基準ボール打点Ｐ１と幅方向で重なる位置で、パッティング方向の前方側端部から後方側に適宜の長さに延びる細い白線でアライメントラインＬ（目印に相当）が印刷又は形成されている。
【００１４】
また図２（ｂ）に示すように、２つのヘッド半部２１，２２それぞれの上平面２１ａ，２２ａはフラットな平面で形成されており、シャフト結合部１１のシャフト軸Ｃ（つまり、穴部、及び結合されるシャフト３のそれぞれの中心軸）に対して、トゥ側ヘッド半部２１の上平面２１ａが９０°の角度を成すよう形成され、ヒール側ヘッド半部２２の上平面２２ａが８０°の角度を成すよう形成されている。また当該パターヘッド２全体の底面１４（ソール）は、パッティング方向及び幅方向の全体において一律の比較的大きな曲率半径にある凸曲面形状に形成されている。また各ヘッド半部２１，２２は、パッティング方向の前方側端部で底面１４の近傍に、それぞれ幅方向外方に向けて突出する２つの略半円板形状のラウンドガード１５が設けられている。
【００１５】
また図３の平面断面図に示すように、当該パターヘッド２の前方側端面の全体が１枚の平板形状のフェース板１６で構成されている。そして、そのフェース板１６から後方側のパターヘッド２の内部には４本の芯棒１７が設けられている。これら芯棒１７は、シャフト結合部１１よりもトゥ側とヒール側のそれぞれのヘッド半部２１，２２において、幅方向で各基準ボール打点Ｐ１，Ｐ２を挟む２箇所の位置に、それぞれの軸方向がパッティング方向と平行な姿勢で当該パターヘッド２の内部に設けられている。これら芯棒１７は、パターヘッド２本体の材質より比較的重い質量の例えば金属からなる適宜の長さの略円柱形状体であり、それぞれパターヘッド２と一体にモールドされて設けられてもよいし、もしくは各芯棒１７に雄ネジが切られて螺合するよう設けられてもよい（特に図示せず）。
【００１６】
以上のように構成された本実施形態のパターヘッド２に対し、シャフト結合部１１の穴部に嵌入したジョイント１２を介してシャフト３を結合することでパタークラブ１が完成する（後述の図５、図６参照）。
【００１７】
＜パタークラブの使用形態について＞
上述した構成の本実施形態のパタークラブ１は、２つのヘッド半部２１，２２を使い分けることにより、その１本で異なる２種類のパッティング姿勢にそれぞれ適切に対応した形態で使用できる。具体的には、図４（ａ）に示すように、プレイヤーＭの身体正面をパッティング方向に正対させる姿勢でパッティングする場合には、その際のパターヘッド２を拡大して示す図４（ｂ）に示すようにトゥ側ヘッド半部２１の第１基準ボール打点Ｐ１でボール４をパッティングするとよい。このパッティング姿勢の場合には、プレイヤーＭがシャフト３を上下の鉛直方向で把持しやすいため、シャフト軸Ｃと９０°の角度を成すトゥ側ヘッド半部２１の上平面２１ａがおよそ水平な配置となり、第１基準ボール打点Ｐ１の目印となるアライメントラインＬを正しく目視して正確なパッティングが可能となる。
【００１８】
また図５（ａ）に示すように、プレイヤーＭの身体正面を幅方向に正対させる一般的な通常姿勢でパッティングする場合には、その際のパターヘッド２を拡大して示す図５（ｂ）に示すようにヒール側ヘッド半部２２の第２基準ボール打点Ｐ２でボール４をパッティングするとよい。このパッティング姿勢の場合には、プレイヤーＭがシャフト３を少し傾斜させる方向で把持しやすいため、シャフト軸Ｃと８０°の角度を成すヒール側ヘッド半部２２の上平面２２ａがおよそ水平な配置となり、第２基準ボール打点Ｐ２を正しく目視して正確なパッティングが可能となる。なお、特に図示しないが、このヒール側ヘッド半部２２の上平面２２ａにおいても第２基準ボール打点Ｐ２に対応したアライメントラインＬを印刷、形成してもよい。またシャフト軸Ｃに対してヒール側ヘッド半部２２の上平面２２ａが成す角度は上記８０°に限られず、他にもプレイヤーＭが所望する適宜の角度に設定されていてもよい。この場合には、本願出願時におけるパタークラブ１の公式レギュレーションに準拠するよう８０°以下の角度に設定するのが望ましい。
【００１９】
また、上記２種類の使用形態のいずれの場合でも、幅方向で各基準ボール打点Ｐ１，Ｐ２を挟む２箇所の位置に芯棒１７が設けられていることで良好なパッティングが可能となる。すなわち、いずれの使用形態の場合においても、基準ボール打点Ｐ１，Ｐ２の幅方向両側にそれぞれ配置された２本の芯棒１７がバランサー（バランス用のおもり）として機能することから、ボール４をパッティングした際に当該基準ボール打点Ｐ１，Ｐ２を中心とした慣性モーメントの発生を低減でき、フェース板１６の方向のブレを抑えてボール４を目的とする方向に安定してパッティングできる。また、基準ボール打点Ｐ１，Ｐ２が２本の芯棒１７の間に配置されていることから、それら芯棒１７の間に渡る部分のフェース板１６の弾性を生かしてボール４をより良好にパッティングさせることができる。
【００２０】
また、パターヘッド２の前方側面にラウンドガード１５を設けていることで、グリーンの芝目が少し深い場合であってもプレイヤーＭは円滑なパッティングが可能となる。ここで、比較例としてラウンドガード１５を設けていない場合であって、グリーンの傾斜やプレイヤーＭのスウィング次第では、図６（ａ）の側面図や図６（ｂ）の平面図に示すようにフェース板１６の幅方向両端いずれかの下方側角部がグリーンの芝目に食い込んで干渉してしまい、パッティングの安定性に大きな影響を与えてしまう。
【００２１】
これに対して前方側面にラウンドガード１５を設けている本実施形態のパターヘッド２の場合は、図７（ａ）の側面図や図７（ｂ）の平面図に示すようにフェース板１６の幅方向両端いずれかの下方側角部がグリーンの芝目に入っても、半円形状のラウンドガード１５が芝目を容易に側方へ払いのけることで干渉を大きく低減でき、その結果プレイヤーＭはパタークラブ１を円滑に振り抜いて安定したパッティングを行うことができる。
【００２２】
＜本実施形態による効果＞
以上説明したように、本実施形態のパタークラブ１は、幅方向の中央位置にシャフト結合部１１を配置し、それよりもトゥ側とヒール側のそれぞれに基準ボール打点Ｐ１，Ｐ２が設定されたパターヘッド２を備えている。これによりパターヘッド２は、シャフト結合部１１を挟んで幅方向両側のそれぞれに基準ボール打点Ｐ１，Ｐ２が設定された２つのヘッド半部２１，２２を備えた構成となり、これらヘッド半部２１，２２を使い分けることによって１本のパタークラブ１を異なる２種類のパッティング姿勢にそれぞれ適切に対応した形態で使用できる。なお、トゥ側とヒール側のいずれか一方側だけに基準ボール打点Ｐ１，Ｐ２を設定した構成であっても、パタークラブ１としては有効に機能できる。
【００２３】
また、本実施形態では特に、シャフト結合部１１のシャフト軸Ｃに対して、トゥ側ヘッド半部２１の上平面２１ａが略９０°の角度で形成され、ヒール側ヘッド半部２２の上平面２２ａが略８０°以下の角度で形成されている。これにより、それぞれのヘッド半部２１，２２を利用する際のパッティング姿勢に対応して当該ヘッド半部２１，２２の上平面２１ａ，２２ａをおよそ水平に配置させることができ、基準ボール打点Ｐ１，Ｐ２を正しく目視して正確なパッティングが可能となる。
【００２４】
また、本実施形態では特に、幅方向で基準ボール打点Ｐ１，Ｐ２と重なる位置の上平面２１ａ，２２ａにアライメントラインＬを設けている。これにより、どのようなパッティング姿勢でも使用するヘッド半部２１，２２における基準ボール打点Ｐ１，Ｐ２を正確に目視できる。なお、基準ボール打点Ｐ１，Ｐ２を正しく目視できる目印であれば、上記アライメントラインＬ以外にも例えば三角形状やゴルフボール４と同じ直径の円形形状のマークなどを目印として印刷、形成してもよい（特に図示せず）。
【００２５】
また、本実施形態では特に、シャフト結合部１１よりもトゥ側又はヒール側において、幅方向で各基準ボール打点Ｐ１，Ｐ２を挟む２箇所の位置に、それぞれの軸方向がパッティング方向と平行な姿勢の芯棒１７を内部に設けている。これにより、各芯棒１７がバランサーとして機能してボール４を目的とする方向に安定してパッティングできる。また、芯棒１７の間に渡る部分のフェース板１６の弾性を生かしてボール４をより良好にパッティングさせることができる。
【００２６】
なお、上記図３に示した芯棒１７については、各基準ボール打点Ｐ１，Ｐ２をそれぞれ幅方向で挟む２本の芯棒の組合せで一体的に形成してもよい。例えば図３に対応する図８に示すように、各基準ボール打点Ｐ１，Ｐ２をそれぞれ幅方向で挟む組合せの２本の芯棒１７どうしの間で、パッティング方向の後方側端部を直線連結部１７ａで直線的に渡すよう連結した構成で一体的に形成してもよいし、または図９に示すように半円連結部１７ｂで曲線的に渡すよう連結した構成で一体的に形成してもよい。これらの場合でも、芯棒１７によって同様の効果が得られる。
【００２７】
また、本実施形態では特に、パッティング方向の前方側端部で底面１４の近傍に、幅方向に向けて突出する略半円形状のラウンドガード１５が設けられている。これにより、半円形状のラウンドガード１５が芝目を容易に側方へ払いのけることで干渉を大きく低減でき、その結果プレイヤーＭはパタークラブ１を円滑に振り抜いて安定したパッティングを行うことができる。
【００２８】
なお、上記実施形態においてトゥ側ヘッド半部２１を使用してパッティングする際には、上記図４（ａ）に示した以外の姿勢でパッティングを行ってもよい。例えば図１０に示すように、プレイヤーＭの身体正面をパッティング方向に正対させたまま、両足の爪先を直角に開いてパタークラブ１に向けた姿勢でパッティングを行ってもよい。または図１１に示すように、プレイヤーＭの身体正面を幅方向に正対させる姿勢でトゥ側ヘッド半部２１を使用してパッティングしてもよい。
【００２９】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００３０】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００３１】
但し、例えばしきい値や基準値等、所定の判定基準となる値あるいは区切りとなる値の記載がある場合は、それらに対しての「同一」「等しい」「異なる」等は、上記とは異なり、厳密な意味である。
【００３２】
また、以上既に述べた以外にも、上記実施形態や各変形例による手法を適宜組み合わせて利用しても良い。
【００３３】
その他、一々例示はしないが、本発明は、その趣旨を逸脱しない範囲内において、種々の変更が加えられて実施されるものである。
【符号の説明】
【００３４】
１            パタークラブ
２            パターヘッド
３            シャフト
４            ボール
１１          シャフト結合部
１２          ジョイント
１３          溝部
１４          底面
１５          ラウンドガード
１６          フェース板
１７          芯棒
２１          トゥ側ヘッド半部
２１ａ        上平面
２２          ヒール側ヘッド半部
２２ａ        上平面
Ｃ            シャフト軸
Ｌ            アライメントライン（目印に相当）
Ｍ            プレイヤー
Ｐ１          第１基準ボール打点
Ｐ２          第２基準ボール打点
【要約】
【課題】異なる複数のパッティング姿勢に対応可能にする。
【解決手段】ゴルフ用のパタークラブ１が備えるパターヘッド２において、幅方向の中央位置にシャフト結合部１１を配置し、それよりもトゥ側とヒール側の少なくとも一方側に基準ボール打点Ｐ１，Ｐ２が設定されている。また、シャフト結合部１１のシャフト軸Ｃに対して、トゥ側の上平面２１ａが略９０°の角度で形成され、ヒール側の上平面２２ａが略８０°以下の角度で形成されている。また、幅方向で基準ボール打点Ｐ１と重なる位置の上平面２１ａにアライメントラインＬを設けている。また、シャフト結合部１１よりもトゥ側又はヒール側において、幅方向で基準ボール打点Ｐ１，Ｐ２を挟む２箇所の位置に、それぞれの軸方向がパッティング方向と平行な姿勢の芯棒１７を内部に設けている。
【選択図】図２【図１】
0006771798.tif 000002
【図２】
0006771798.tif 000003
【図３】
0006771798.tif 000004
【図４】
0006771798.tif 000005
【図５】
0006771798.tif 000006
【図６】
0006771798.tif 000007
【図７】
0006771798.tif 000008
【図８】
0006771798.tif 000009
【図９】
0006771798.tif 000010
【図１０】
0006771798.tif 000011
【図１１】
0006771798.tif 000012